【事件の表示】
　特願２００７−　３８５８６「バックライト装置、および、色温度調整方法」拒絶査定不服審判事件〔平成２０年　９月　４日出願公開、特開２００８−２０５１３３〕について、次のとおり審決する。
【結　論】
　本件審判の請求は、成り立たない。
【理　由】
第１　手続の経緯  
　本願は、平成１９年２月１９日の出願であって、拒絶理由の通知に応答して平成２３年１０月２７日に手続補正がされたが、同年１２月２１日付けで拒絶査定がされ、これに対して、平成２４年４月２日に拒絶査定不服審判が請求されるとともに、これと同時に手続補正がされたものである。 
　  
第２　平成２４年４月２日の手続補正についての補正却下の決定 
［補正却下の決定の結論］ 
　平成２４年４月２日の手続補正（以下「本件補正」という。）を却下する。 
　
［理由］ 
１　本件補正による請求項１の補正について
（１）　補正の内容 
　本件補正による請求項１の補正は、次のとおりのものである。 
　本件補正前に 
「第１の発光ダイオードと、
　上記第１の発光ダイオードより発光される光を吸収し、吸収した光とは異なる波長の光を発光する蛍光体と、を備えたバックライト装置であって、
　上記第１の発光ダイオードと上記蛍光体とからの光より生成された白色光の色温度を調整する、少なくとも１種類以上の第２の発光ダイオードを備え、
　上記第２の発光ダイオードは、上記第１の発光ダイオードからの光とは異なる波長の光を発光し、
　上記第１の発光ダイオードは、上記蛍光体を含む封止樹脂で封止されており、
　少なくとも一部の上記第２の発光ダイオードは、上記蛍光体を含まない透明樹脂で封止されていることを特徴とするバックライト装置。」（平成２３年１０月２７日の手続補正書参照。） 
とあったものを、 
　本件補正後に 
「第１の発光ダイオードと、
　上記第１の発光ダイオードより発光される光を吸収し、吸収した光とは異なる波長の光を発光する蛍光体と、を備えたバックライト装置であって、
　上記第１の発光ダイオードと上記蛍光体とからの光より生成された白色光の色温度を調整する、少なくとも１種類以上の第２の発光ダイオードを備え、
　上記第２の発光ダイオードは、上記第１の発光ダイオードからの光とは異なる波長の光を発光し、
　上記第１の発光ダイオードは、上記蛍光体を含む封止樹脂で封止されており、
　少なくとも一部の上記第２の発光ダイオードは、上記蛍光体を含まない透明樹脂で封止されており、
　
上記白色光の色温度調整は、上記第２の発光ダイオードからの光と、その光を吸収し、上記第２の発光ダイオードが波長シフトすることなく発光したときの光と同じ波長の光で発光する、上記透明樹脂に封止された蛍光体からの光とによって行われ
とする。  
　
（２）　補正の根拠となる記載についての請求人の主張
　請求人は、本願の願書に最初に添付した明細書又は図面（以下「本願当初明細書等」という。）における、本件補正による請求項１の補正の根拠となる記載について、
「上記手続補正書における、請求項１の『上記白色光の色温度調整は、上記第２の発光ダイオードからの光と、その光を吸収し、上記第２の発光ダイオードが波長シフトすることなく発光したときの光と同じ波長の光で発光する、上記透明樹脂に封止された蛍光体からの光とによって行われ』るとした補正事項は、出願当初の明細書の段落【００５７】、【０１６４】、【０１６７】および図９（ａ）（ｂ）の記載に基づくものです。すなわち、当初明細書の段落【００５７】には、『第３の発光ダイオードに波長シフトが生じたとしても、蛍光体が、波長シフト前の第３の発光ダイオードと同波長の光を発光している』ことが記載されています。また、当初明細書の段落【０１６４】には、『青色ＬＥＤ３１が発光した青色光を、封止樹脂９３に含まれる青色蛍光体が吸収し、青色光を発光する』ことが記載されています。さらに、当初明細書の段落【０１６７】には、緑色ＬＥＤ３２および赤色ＬＥＤ３３についても、『内部のＬＥＤの光と同色の光を発光する蛍光体を、封止樹脂が含んでいる』ことが記載されています。」（審判請求書３頁１２ないし２４行。）
と主張している。
　
（３）　本願当初明細書等の記載
　本願の願書に最初に添付した明細書又は図面（以下「本願当初明細書等」という。）には、上記「（２）」において請求人が言及する記載箇所を含む次のア及びイの記載がある。
ア　「【００５３】
　本発明のバックライト装置は、複数の波長の光を発光する、複数の第３の発光ダイオードと、上記第３の発光ダイオードからの光を吸収し、吸収した光と同波長の光を発光する、少なくとも１種類以上の蛍光体と、を備えたことを特徴としている。
【００５４】
　まず、第３の発光ダイオードは、自身の温度変化および周辺温度の変化によって、発光する光の波長シフトが発生する。ここで、バックライト装置において生成される白色光を、第３の発光ダイオードのみを用いて生成した場合、第３の発光ダイオードの波長シフトにより、バックライト装置からの白色光の輝度および色温度が変化するという問題がある。
【００５５】
　特許文献２においては、発光ダイオードの温度変化による波長シフトを補正するための温度補償回路を備え、発光ダイオードに供給する電流を調整することで、発光ダイオードの温度変化による波長シフトを対策している。しかしながら、特許文献２の構成では、温度補償回路を備えることにより、バックライト装置の設計が複雑となり、さらに、温度補償回路を構成するＩＣが別途必要となるため、コストアップに繋がるという問題が生じる。
【００５６】
　ここで、本発明のバックライト装置においては、第３の発光ダイオードからの光を吸収し、吸収した光と同波長の光を発光する蛍光体を備えている。また、蛍光体は、発光ダイオードと異なり、周辺温度の変化によって波長シフトが生じることはない。
【００５７】
　したがって、本発明のバックライト装置は、第３の発光ダイオードに波長シフトが生じたとしても、蛍光体が、波長シフト前の第３の発光ダイオードと同波長の光を発光しているため、波長シフトによる白色光の輝度および色温度の変化を、低減することが可能となる効果を奏する。」
　
イ　「【０１５３】
　〔実施形態５〕
　次に、本発明に係る第５の実施形態における、バックライト装置５の構成について、図９（ａ）および（ｂ）を参照して以下に説明する。
図９（ａ）は、本実施形態に係るバックライト装置５の構成を示す模式図である。
【０１５４】
　同図（ａ）に示すように、バックライト装置５は、配線基板１０と、配線基板１０上に規則的に配置されたＬＥＤモジュール９０，ＬＥＤモジュール９１，およびＬＥＤモジュール９２とによって構成されている。さらに、配線基板１０と、ＬＥＤモジュール９０，ＬＥＤモジュール９１，およびＬＥＤモジュール９２とは、電気的に接続されている。
【０１５５】
　ここで、バックライト装置５は、図示しない電源回路からの電流を、ＬＥＤモジュール９０，ＬＥＤモジュール９１，およびＬＥＤモジュール９２に供給している。ＬＥＤモジュール９０，ＬＥＤモジュール９１，およびＬＥＤモジュール９２は、供給された電流を、搭載する各ＬＥＤに与えることによって、搭載する各ＬＥＤを発光させ、白色光を生成している。
【０１５６】
　（ＬＥＤモジュール９０，ＬＥＤモジュール９１，ＬＥＤモジュール９２の構成）
　以下に、図９（ｂ）を参照して、ＬＥＤモジュール９０，ＬＥＤモジュール９１，およびＬＥＤモジュール９２の構成を説明する。
図９（ｂ）は、バックライト装置５の配線基板１０上に配置されるＬＥＤモジュール９０，ＬＥＤモジュール９１，およびＬＥＤモジュール９２の構成を示す模式図である。
【０１５７】
　まず、ＬＥＤモジュール９０の構成について説明する。同図（ｂ）に示すように、ＬＥＤモジュール９０は、青色光を発光する青色ＬＥＤ３１（特許請求の範囲に記載の、第３の発光ダイオードに相当）と、ＬＥＤフレーム２５と、蛍光体を含む封止樹脂９３とによって構成されている。また、封止樹脂９３は、青色ＬＥＤ３１より発光される青色光を吸収し、青色光を発光する青色蛍光体を含んでいる。
【０１５８】
　上記青色ＬＥＤ３１は、ＬＥＤフレーム２５上に実装され、ＬＥＤフレーム２５とは電気的に接続されている。さらに青色ＬＥＤ３１は、封止樹脂９３により、ＬＥＤフレーム２５に封止されている。また、青色ＬＥＤ３１のサイズは、約４００μｍとなるスモールサイズと呼ばれるものである。
【０１５９】
　次に、ＬＥＤモジュール９１の構成について説明する。同図（ｂ）に示すように、ＬＥＤモジュール９１は、緑色光を発光する緑色ＬＥＤ３２（特許請求の範囲に記載の、第３の発光ダイオードに相当）と、ＬＥＤフレーム２５と、蛍光体を含む封止樹脂９４とによって構成されている。また、封止樹脂９４は、緑色ＬＥＤ３２より発光される緑色光を吸収し、緑色光を発光する緑色蛍光体を含んでいる。
【０１６０】
　上記緑色ＬＥＤ３２は、ＬＥＤフレーム２５上に実装され、ＬＥＤフレーム２５とは電気的に接続されている。さらに緑色ＬＥＤ３２は、封止樹脂９４により、ＬＥＤフレーム２５に封止されている。また、緑色ＬＥＤ３２のサイズは、約４００μｍとなるスモールサイズと呼ばれるものである。
【０１６１】
　次に、ＬＥＤモジュール９２の構成について説明する。同図（ｂ）に示すように、ＬＥＤモジュール９２は、赤色光を発光する赤色ＬＥＤ３３（特許請求の範囲に記載の、第３の発光ダイオードに相当）と、ＬＥＤフレーム２５と、蛍光体を含む封止樹脂９５とによって構成されている。また、封止樹脂９５は、赤色ＬＥＤ３３より発光される赤色光を吸収し、赤色光を発光する赤色蛍光体を含んでいる。
【０１６２】
　上記赤色ＬＥＤ３３は、ＬＥＤフレーム２５上に実装され、ＬＥＤフレーム２５とは電気的に接続されている。さらに赤色ＬＥＤ３３は、封止樹脂９５により、ＬＥＤフレーム２５に封止されている。また、赤色ＬＥＤ３３のサイズは、約４００μｍとなるスモールサイズと呼ばれるものである。
【０１６３】
　（白色光の生成）
　バックライト装置５は、ＬＥＤモジュール９０，ＬＥＤモジュール９１，およびＬＥＤモジュール９２に、図示しない電源回路からの電流を供給する。ＬＥＤモジュール９０，ＬＥＤモジュール９１，およびＬＥＤモジュール９２は、供給された電流を、各ＬＥＤモジュールが搭載する、青色ＬＥＤ３１，緑色ＬＥＤ３２，および赤色ＬＥＤ３３に供給することにより、各ＬＥＤを発光させる。
【０１６４】
　ＬＥＤモジュール９０においては、青色ＬＥＤ３１が発光した青色光を、封止樹脂９３に含まれる青色蛍光体が吸収し、青色光を発光する。また、ＬＥＤモジュール９１においては、緑色ＬＥＤ３２が発光した緑色光を、封止樹脂９４に含まれる緑色蛍光体が吸収し、緑色光を発光する。さらに、ＬＥＤモジュール９２においては、赤色ＬＥＤ３３が発光した赤色光を、封止樹脂９５に含まれる赤色蛍光体が吸収し、赤色光を発光する。
【０１６５】
　以上より、バックライト装置５は、ＬＥＤモジュール９０，ＬＥＤモジュール９１，およびＬＥＤモジュール９２より発光される、青色光，緑色光，および赤色光によって、白色光を生成している。ここでバックライト装置５は、各ＬＥＤモジュール内の青色ＬＥＤ３１，緑色ＬＥＤ３２，および赤色ＬＥＤ３３に流れる電流を個別に調整することにより、各ＬＥＤモジュールより発光される、青色光，緑色光，および赤色光の輝度を個別に変更することができる。結果、バックライト装置５は、青色光，緑色光，および赤色光の輝度を個別に変更することにより、生成する白色光の輝度および色温度を調整することができる。
【０１６６】
　しかしながら、ＬＥＤは、自身の発熱や周辺温度の変化によって、発光する光の波長が変化する波長シフトが発生するという特性をもっている。したがって、各ＬＥＤに流れる電流を調整して、輝度および色温度を調整したとしても、発光する時間が長時間となるなど、ＬＥＤ自身の温度や周辺温度が変化することによって、各ＬＥＤより発光される光は、輝度および色温度にずれが発生することになる。
【０１６７】
　ここで、バックライト装置５が備える、ＬＥＤモジュール９０，ＬＥＤモジュール９１，およびＬＥＤモジュール９２は、内部のＬＥＤの光と同色の光を発光する蛍光体を、封止樹脂が含んでいる。一般的に、蛍光体は、ＬＥＤとは異なり、温度変化による波長シフトのような、発光する光の波長を変化させることはほとんどない。
【０１６８】
　したがって、青色ＬＥＤ３１，緑色ＬＥＤ３２，および赤色ＬＥＤ３３より発光される光に波長シフトが発生したとしても、各ＬＥＤモジュールの封止樹脂に含まれる蛍光体によって、バックライト装置５は、各ＬＥＤの波長シフトの影響を軽減することが可能となる。」
　
ウ　上記イで言及されている図９（ａ），（ｂ）は、次のとおりのものである。
【図９】
　
エ　本願当初明細書等には、符号の説明として、次の記載がある。
「【符号の説明】
【０１７５】
　１　　バックライト装置
　２　　バックライト装置
　３　　バックライト装置
　４　　バックライト装置
　５　　バックライト装置
　２１　青色ＬＥＤ（第１の発光ダイオード）
　２２　緑色ＬＥＤ（第２の発光ダイオード）
　２３　赤色ＬＥＤ（第２の発光ダイオード）
　２４　封止樹脂
　３１　青色ＬＥＤ（第３の発光ダイオード）
　３２　緑色ＬＥＤ（第３の発光ダイオード）
　３３　赤色ＬＥＤ（第３の発光ダイオード）
　３４　封止樹脂
　４２　緑色ＬＥＤ（第２の発光ダイオード）
　４４　封止樹脂（透明樹脂）
　５４　封止樹脂
　９３　封止樹脂
　９４　封止樹脂
　９５　封止樹脂」
　
（４）　上記「（３）　ア」及び上記「（３）　イ」に記載された発明
ア　上記「（３）　イ」における【０１５３】、【０１５４】及び【０１５６】の記載によれば、図９（ａ），（ｂ）に示されたバックライト装置５は、本発明に係る第５の実施形態であって、配線基板１０上に、ＬＥＤモジュール９０、ＬＥＤモジュール９１及びＬＥＤモジュール９２を配置したものである。
　
イ　上記「（３）　イ」における【０１５７】、【０１５９】及び【０１６１】の記載によれば、ＬＥＤモジュール９０は、青色光を発光する青色ＬＥＤ３１、ＬＥＤフレーム２５、青色ＬＥＤ３１より発光される青色光を吸収し、青色光を発光する青色蛍光体及び前記青色蛍光体を含む封止樹脂９３とによって構成され、ＬＥＤモジュール９１は、緑色光を発光する緑色ＬＥＤ３２、ＬＥＤフレーム２５、緑色ＬＥＤ３２より発光される緑色光を吸収し、緑色光を発光する緑色蛍光体及び前記緑色蛍光体を含む封止樹脂９４とによって構成され、ＬＥＤモジュール９２は、赤色光を発光する赤色ＬＥＤ３３、ＬＥＤフレーム２５、赤色ＬＥＤ３３より発光される赤色光を吸収し、赤色光を発光する赤色蛍光体及び前記赤色蛍光体を含む封止樹脂９５とによって構成されている。
　
ウ　上記「（３）　イ」における【０１６６】、【０１６７】及び【０１６８】の記載によれば、上記青色蛍光体は、青色ＬＥＤ３１からの光を吸収し、青色ＬＥＤ３１が波長シフトすることなく発光したときの光と同じ波長の光で発光し、上記緑色蛍光体は、緑色ＬＥＤ３２からの光を吸収し、緑色ＬＥＤ３２が波長シフトすることなく発光したときの光と同じ波長の光で発光し、赤色蛍光体は、赤色ＬＥＤ３３からの光を吸収し、赤色ＬＥＤ３３が波長シフトすることなく発光したときの光と同じ波長の光で発光するといえる。
　
エ　上記「（３）　イ」における【０１６３】、【０１６４】及び【０１６５】の記載によれば、バックライト装置５は、ＬＥＤモジュール９０より発光される青色光，ＬＥＤモジュール９１より発光される緑色光及びＬＥＤモジュール９２より発光される赤色光によって白色光が生成され、青色ＬＥＤ３１、緑色ＬＥＤ３２及び赤色ＬＥＤ３３に流れる電流を個別に調整することにより、各ＬＥＤモジュールより発光される、青色光、緑色光及び赤色光の輝度を個別に変更することにより、生成する白色光の輝度および色温度を調整する。
　
オ　上記「（３）　ア」に記載された「複数の第３の発光ダイオード」を備えるバックライト装置は、以下の（ア）ないし（ウ）によれば、上記「バックライト装置５」に相当するものと解される。
（ア）　上記「（３）　エ」には、次の記載がある。
「３１　青色ＬＥＤ(第３の発光ダイオード)
　３２　緑色ＬＥＤ(第３の発光ダイオード)
　３３　赤色ＬＥＤ(第３の発光ダイオード)」
　　
（イ）　上記「（３）　イ」における【０１５７】、【０１５９】及び【０１６１】には、それぞれ、「青色ＬＥＤ３１（特許請求の範囲に記載の、第３の発光ダイオードに相当）」、「緑色ＬＥＤ３２（特許請求の範囲に記載の、第３の発光ダイオードに相当）」、「赤色ＬＥＤ３３（特許請求の範囲に記載の、第３の発光ダイオードに相当）」との記載がある。
　
（ウ）　上記「（３）　ア」に記載されたバックライト装置は、上記「（３）　ア」における【００５３】、【００５６】及び【００５７】の記載によれば、第３の発光ダイオードからの光を吸収し、第３の発光ダイオードが波長シフトすることなく発光したときの光と同じ波長の光で発光する蛍光体を用いており、これは上記「バックライト装置５」で用いられている蛍光体と同じ作用を奏するものである。
　
カ　まとめ
　上記アないしオの検討によれば、上記「（３）　ア」及び上記「（３）　イ」の記載を含む本願当初明細書等には、「本発明に係る第５の実施形態」である「バックライト装置５」として、次の発明が記載されていると認められる。
「配線基板１０上に、
　青色光を発光する青色ＬＥＤ３１、ＬＥＤフレーム２５、青色ＬＥＤ３１より発光される青色光を吸収し、青色光を発光する青色蛍光体及び前記青色蛍光体を含む封止樹脂９３とによって構成されるＬＥＤモジュール９０と、　緑色光を発光する緑色ＬＥＤ３２、ＬＥＤフレーム２５、緑色ＬＥＤ３２より発光される緑色光を吸収し、緑色光を発光する緑色蛍光体及び前記緑色蛍光体を含む封止樹脂９４とによって構成されるＬＥＤモジュール９１と、
　赤色光を発光する赤色ＬＥＤ３３、ＬＥＤフレーム２５、赤色ＬＥＤ３３より発光される赤色光を吸収し、赤色光を発光する赤色蛍光体及び前記赤色蛍光体を含む封止樹脂９５とによって構成されるＬＥＤモジュール９２とが配置され、
　前記青色蛍光体は、青色ＬＥＤ３１からの光を吸収し、青色ＬＥＤ３１が波長シフトすることなく発光したときの光と同じ波長の光で発光し、
　前記緑色蛍光体は、緑色ＬＥＤ３２からの光を吸収し、緑色ＬＥＤ３２が波長シフトすることなく発光したときの光と同じ波長の光で発光し、
　前記赤色蛍光体は、赤色ＬＥＤ３３からの光を吸収し、赤色ＬＥＤ３３が波長シフトすることなく発光したときの光と同じ波長の光で発光し、
　ＬＥＤモジュール９０より発光される青色光、ＬＥＤモジュール９１より発光される緑色光及びＬＥＤモジュール９２より発光される赤色光によって白色光が生成され、青色ＬＥＤ３１、緑色ＬＥＤ３２及び赤色ＬＥＤ３３に流れる電流を個別に調整することにより、各ＬＥＤモジュールより発光される、青色光、緑色光及び赤色光の輝度を個別に変更することにより、生成する白色光の輝度および色温度を調整する、バックライト装置５。」
　
（５）　本件補正による請求項１の補正についての当審の判断
ア　本件補正後の請求項１に記載された発明（以下「本願補正発明」という。）は、
「第１の発光ダイオードと、上記第１の発光ダイオードより発光される光を吸収し、吸収した光とは異なる波長の光を発光する蛍光体と、を備えたバックライト装置であって、上記第１の発光ダイオードと上記蛍光体とからの光より生成された白色光の色温度を調整する、少なくとも１種類以上の第２の発光ダイオードを備え、上記第２の発光ダイオードは、上記第１の発光ダイオードからの光とは異なる波長の光を発光し、上記第１の発光ダイオードは、上記蛍光体を含む封止樹脂で封止されており、少なくとも一部の上記第２の発光ダイオードは、上記蛍光体を含まない透明樹脂で封止されており、上記白色光の色温度調整は、上記第２の発光ダイオードからの光と、その光を吸収し、上記第２の発光ダイオードが波長シフトすることなく発光したときの光と同じ波長の光で発光する、上記透明樹脂に封止された蛍光体からの光とによって行われることを特徴とするバックライト装置。」
であるから、その色温度調整は、
「第１の発光ダイオードと、上記第１の発光ダイオードより発光される光を吸収し、吸収した光とは異なる波長の光を発光する蛍光体とからの光より生成された白色光の色温度を、
　第２の発光ダイオードからの光と、その光を吸収し、上記第２の発光ダイオードが波長シフトすることなく発光したときの光と同じ波長の光で発光する、上記上記第２の発光ダイオードを封止する透明樹脂に封止された蛍光体からの光とによって調整する色温度調整。」
である。
　
イ　これに対して、上記「バックライト装置５」の色温度調整は、上記「（４）　カ」によれば、
「青色ＬＥＤ３１と、青色ＬＥＤ３１より発光される光を吸収し、吸収した光と同じ波長の光を発光する青色蛍光体とからの光より生成された青色光、　緑色ＬＥＤ３２と、緑色ＬＥＤ３２より発光される光を吸収し、吸収した光と同じ波長の光を発光する緑色蛍光体とからの光より生成された緑色光、　赤色ＬＥＤ３３と、赤色ＬＥＤ３３より発光される光を吸収し、吸収した光と同じ波長の光を発光する赤色蛍光体とからの光より生成された赤色光、とから生成される白色光の色温度を、
　青色ＬＥＤ３１、緑色ＬＥＤ３２及び赤色ＬＥＤ３３に流れる電流を個別に調整することにより、上記青色光、緑色光及び赤色光の輝度を個別に変更することによって調整する色温度調整。」
である。
　　
ウ　上記ア及びイの検討によれば、本願補正発明の色温度調整と、「バックライト装置５」の色温度調整とは、次の（ア）及び（イ）において相違するものと認められる。
（ア）　本願補正発明の色温度調整の対象である白色光は、発光ダイオードと、その発光ダイオードの光とは異なる波長の光を発光する蛍光体からの光より生成されるのに対して、「バックライト装置５」の色温度調整の対象である白色光は、それぞれ、発光ダイオードと、その発光ダイオードの光と同じ波長の光を発光する蛍光体から生成された青色光、緑色光及び赤色光とから生成される点。
　
（イ）　本願補正発明の色温度調整は、白色光をある発光ダイオード（第１の発光ダイオード）を用いて生成した上で、その生成された白色光を、別の発光ダイオード（第２の発光ダイオード）を用いて調整するのに対して、「バックライト装置５」の色温度調整は、白色光を生成する発光ダイオード（青色ＬＥＤ３１、緑色ＬＥＤ３２及び赤色ＬＥＤ３３）自体の電流を個別に調整して輝度を変更することによりなされ、白色光を生成する発光ダイオードとは別の発光ダイオードを用いない点。
　
　よって、本願当初明細書等における上記「（３）　ア」及び上記「（３）　ア」の記載には、本願補正発明における、白色光の色温度調整に係る構成が記載されているとは認められない。
　また、本願当初明細書等の他の記載をみても、本願当初明細書等には、本願補正発明における、白色光の色温度調整に係る構成が記載されているとは認められない。
　
２　まとめ　　　 
　したがって、本件補正による請求項１の補正を含む本件補正は、願書に最初に添付した明細書又は図面に記載した事項の範囲内においてしたものでなく、特許法第１７条の２第３項の規定に違反するので、同法第１５９条第１項において読み替えて準用する同法第５３条第１項の規定により却下すべきものである。 
　
第３　本願発明の認定  
　上記のとおり、本件補正は却下されたので、本願の請求項１に係る発明（以下「本願発明」という。）は、平成２３年１０月２７日に補正された本願の請求項１に記載された事項によって特定される次のとおりのものと認める。 
「第１の発光ダイオードと、
　上記第１の発光ダイオードより発光される光を吸収し、吸収した光とは異なる波長の光を発光する蛍光体と、を備えたバックライト装置であって、
　上記第１の発光ダイオードと上記蛍光体とからの光より生成された白色光の色温度を調整する、少なくとも１種類以上の第２の発光ダイオードを備え、
　上記第２の発光ダイオードは、上記第１の発光ダイオードからの光とは異なる波長の光を発光し、
　上記第１の発光ダイオードは、上記蛍光体を含む封止樹脂で封止されており、
　少なくとも一部の上記第２の発光ダイオードは、上記蛍光体を含まない透明樹脂で封止されていることを特徴とするバックライト装置。」 
　 　  
第４　本願発明の進歩性（特許法第２９条第２項）について
１　引用例の記載事項 
　原査定の拒絶の理由に引用された、本願出願前に頒布された刊行物である特開２００６−８０３３４号公報（以下「引用例」という。）には、以下の（１）及び（２）の記載がある。  
（１）　「【請求項４】
青色光を放射する青色ＬＥＤチップと前記青色ＬＥＤチップの発光部を覆う黄色蛍光体含有部材とを備えた白色ＬＥＤデバイスと、前記白色ＬＥＤデバイスの近傍に赤色光を放射する赤色ＬＥＤデバイスを備えたことを特徴とするＬＥＤ発光装置。」
　
（２）　「【００１６】
（実施例３）
　図５は、本発明に係るＬＥＤ発光装置の実施例３を示す概略斜視図である。本図では、本発明のＬＥＤ発光装置を用いたランプ形状をしたＬＥＤ照明装置を示している。図において、３００は赤色ＬＥＤデバイス、３１０は青色ＬＥＤデバイス、３２０はレンズ、１３０はサブマウント基板、３３０は口金、３４０は筐体である。図示のように、サブマウント基板１３０上には４個の青色ＬＥＤデバイス３１０とそれらに挟まれた形で３個の赤色ＬＥＤデバイス３００が配置されている。これらのデバイス上部にはレンズ３２０が設けられている。このレンズ３２０は各色を混色するための混色手段の機能を有することができる。筐体３４０の一方の側にはサブマウント基板１３０が配置され、他方の側には筐体内部を介してＬＥＤ発光装置（青色ＬＥＤデバイス３１０および赤色ＬＥＤデバイス３００）に接続された口金３３０が配置される。
【００１７】
　本実施例では、青色ＬＥＤチップの青色光と黄色蛍光体による黄色光との混色により白色光を出す白色ＬＥＤデバイス３１０と、赤色ＬＥＤチップを有する赤色ＬＥＤデバイス３００とを備えて構成される。白色ＬＥＤデバイス３１０と赤色ＬＥＤデバイス３００とを備えたＬＥＤ発光装置から出た白色光と赤色光は、混色手段としてのレンズ３２０又は拡散シート等により混色され、赤色のピークを含んだ白色光を出す。」　
　
２　引用発明の認定
（１）　上記「１　（２）」に記載された「実施例３」は、「青色光を放射する青色ＬＥＤチップと前記青色ＬＥＤチップの発光部を覆う黄色蛍光体含有部材（黄色蛍光体）とを備えた白色ＬＥＤデバイス（青色ＬＥＤチップの青色光と黄色蛍光体による黄色光との混色により白色光を出す白色ＬＥＤデバイス３１０）と、前記白色ＬＥＤデバイスの近傍に（４個の青色ＬＥＤデバイス３１０に挟まれた形で配置されている）赤色光を放射する赤色ＬＥＤデバイス（赤色ＬＥＤデバイス３００）を備えたＬＥＤ発光装置。」であるから、上記「１　（１）」に記載された「青色光を放射する青色ＬＥＤチップと前記青色ＬＥＤチップの発光部を覆う黄色蛍光体含有部材とを備えた白色ＬＥＤデバイスと、前記白色ＬＥＤデバイスの近傍に赤色光を放射する赤色ＬＥＤデバイスを備えたことを特徴とするＬＥＤ発光装置。」に対応している。
　
（２）　上記「１　（２）」の【００１７】の記載によれば、「実施例３」は、混色手段により、白色ＬＥＤデバイスの白色光と赤色ＬＥＤデバイスの赤色光とを混色して、赤色のピークを含んだ白色光を出すＬＥＤ発光装置である。
　
（３）　上記（１）及び（２）によれば、引用例には、次の発明（以下「引用発明」という。）が記載されていると認めることができる。
「青色光を放射する青色ＬＥＤチップと前記青色ＬＥＤチップの発光部を覆う黄色蛍光体含有部材とを備えた白色ＬＥＤデバイスと、前記白色ＬＥＤデバイスの近傍に赤色光を放射する赤色ＬＥＤデバイスを備え、混色手段により、前記白色ＬＥＤデバイスの白色光と前記赤色ＬＥＤデバイスの赤色光とが混色され、赤色のピークを含んだ白色光を出すＬＥＤ発光装置。」
　
３　対比  
　引用発明と本願発明とを対比する。 
（１）　引用発明の「青色光を放射する青色ＬＥＤチップ」、「『青色ＬＥＤチップの発光部を覆う黄色蛍光体含有部材』に含有されている『黄色蛍光体』」、「ＬＥＤ発光装置」及び「赤色ＬＥＤデバイス」は、それぞれ、本願発明の「第１の発光ダイオード」、「第１の発光ダイオードより発光される光を吸収し、吸収した光とは異なる波長の光を発光する蛍光体」、「バックライト装置」及び「第２の発光ダイオード」に相当する。
　
（２）　引用発明の「赤色ＬＥＤデバイス」は、「白色ＬＥＤデバイス」の出す白色光とは異なる波長の赤色光を発光するものである。
　
（３）　引用発明において、「白色ＬＥＤデバイスの白色光と赤色ＬＥＤデバイスの赤色光とが混色され、赤色のピークを含んだ白色光を出す」ことは、本願発明において、「第２の発光ダイオード」が「第１の発光ダイオードと蛍光体とからの光より生成された白色光の色温度を調整する」ことに相当する。
　
　してみると、本願発明と引用発明とは、以下の＜一致点＞で一致し、以下の＜相違点＞で相違する。 
＜一致点＞  
「第１の発光ダイオードと、
　上記第１の発光ダイオードより発光される光を吸収し、吸収した光とは異なる波長の光を発光する蛍光体と、を備えたバックライト装置であって、
　上記第１の発光ダイオードと上記蛍光体とからの光より生成された白色光の色温度を調整する、少なくとも１種類以上の第２の発光ダイオードを備え、
　上記第２の発光ダイオードは、上記第１の発光ダイオードからの光とは異なる波長の光を発光する、バックライト装置。」 
　
＜相違点＞  
　本願発明は、「第１の発光ダイオードは、蛍光体を含む封止樹脂で封止されており、少なくとも一部の上記第２の発光ダイオードは、上記蛍光体を含まない透明樹脂で封止されている」のに対して、引用発明は、黄色蛍光体含有部材が青色ＬＥＤチップの発光部を覆うから、「第１の発光ダイオード（青色ＬＥＤチップ）」が、「蛍光体（黄色蛍光体）」を含む黄色蛍光体含有部材で封止されているとはいえても、黄色蛍光体含有部材が樹脂であるか否かが不明であり、かつ、「第２の発光ダイオード（赤色ＬＥＤデバイス）」が、「上記蛍光体（黄色蛍光体）を含まない透明樹脂」で封止されているか否かが不明である点。
　
４　判断  
　＜相違点＞について検討する。 
　ＬＥＤ発光装置において、第１のＬＥＤチップを、蛍光体を含む樹脂で封止し、第１のＬＥＤチップとは異なる第２のＬＥＤチップを、該蛍光体を含まない透明樹脂で封止する構成は、本願出願前に周知である。
　例えば、原査定の備考で引用された特開２００６−２４５４４３号公報の図３には、青色ＬＥＤ１１が、黄色蛍光体１４を含む黄色封止樹脂２６Ａで封止され、緑色ＬＥＤ１２が、赤色蛍光体１５を含む赤色封止樹脂２６Ｂで封止された発光装置３０が示されており、かつ、同公報の【００２４】の、「黄赤色透明樹脂１６は、エポキシ樹脂又はシリコン樹脂等の透明樹脂を主とするものである。」との記載によれば、封止樹脂は透明樹脂といえる。
　同じく特開２００５−５４８２号公報の図２には、青色ＬＥＤ１が、蛍光粒子４を混入した透明樹脂５で被覆され、赤色ＬＥＤ２が、蛍光粒子を混入しない透明樹脂５で被覆されされたＬＥＤ発光装置１０が示されている。
　よって、引用発明において、本願発明の＜相違点＞に係る構成を備えることは、当業者が、周知技術に基づいて、容易に想到し得たことである。
　また、かかる構成を採用することによる効果は、当業者が予測し得る程度のものである。
　したがって、本願発明は、当業者が、引用発明及び周知技術に基づいて、容易に発明をすることができたものである。
　　 　 
第５　むすび 
　以上のとおり、本願発明は、当業者が、引用発明及び周知技術に基づいて、容易に発明をすることができたものであるから、特許法第２９条第２項の規定により特許を受けることができない。
　よって、結論のとおり審決する。